(57)【要約】      （修正有）【課題】上下に交差した支持線を確実に組付け、使用勝手の良好な組付け具を提供する。【解決手段】一対の長孔を前後に並設した上板３の両側に、前端縁下部に前記下側支持線ｍ´の受支部片４ａを突設した側板４を相対設して断面冂形の金物主体を構成する。基板に前後一対の掛止杆１２，１２を立設して挟持材２を構成する。前記金物主体と挟持材２を、前記基板を前記側板４，４間に介在させる一方、前記上側支持線ｍを挿通するＵ字形の、前記掛止杆１２の上端部１２ａを前記長孔を通じて前記上板３に、突出させて組付ける。コイルばね１３の付勢に抗して前記基板を前記上板３方向に押圧して前記基板と前記受支部片４ａとの間に前記下側支持線ｍ´の通過間隙を形成する突っ張り片を、前記側板４の前記受支部片４ａに起伏自在に枢着する。さらに、受支部片４ａの上縁には前記下側支持線ｍ´が係合する凹入縁を設ける。【選択図】図４
2008043033.tif 000002
【特許請求の範囲】
【請求項１】
互いに交差させて配したケーブル用等の上下の支持線を交差部において組付けるものであって、一対の長孔を前後に並設した上板の両側に、前端縁下部に前記下側支持線の受支部片を突設した側板を相対設して成る、断面冂形の金物主体に、基板に前後一対の掛止杆を立設して成る挟持材を、前記基板を前記側板間に介在させる一方、前記上側支持線を挿通するＵ字形の、前記掛止杆の上端部を前記長孔を通じて前記上板に、突出させるようにして組付けると共に、コイルばねの付勢に抗して前記基板を前記上板方向に押圧して前記基板と前記受支部片との間に前記下側支持線の通過間隙を形成する突っ張り片を、前記側板の前記受支部片に起伏自在に枢着し、該受支部片の上縁には前記下側支持線が係合する凹入縁を設けた、交差する支持線の組付け金具。
【発明の詳細な説明】
【技術分野】
【０００１】
本発明は、例えば、十字路においてケーブルを交差させて架設する際、該ケーブルを支持するために平面視交差状に配した支持線を交差部において組付けるために用いる、交差する支持線の組付け金具に関するものである。
【背景技術】
【０００２】
棒杆体の中央部を屈曲して第一屈曲部としたＵ字杆の各脚杆部を互いに同方向に屈曲して第二屈曲部とした形状の組付け枠の両端の螺子部に、該螺子部を貫通させる筒状の受金具を組付け、前記螺子部にこの受金具の外側からナットを螺合するようにして、前記第一屈曲部に挿通させた第一支持線とこれと交差して前記第二屈曲部に挿通させた第二支持線を互いに組付けるようにした構造のものがある（例えば、特許文献１）。
【０００３】
【特許文献１】意匠登録第７３７０７７号公報
【発明の開示】
【発明が解決しようとする課題】
【０００４】
前記従来例は、第一屈曲部に第一支持線を、第二屈曲部に第二支持線を係合し、しかる後、組付け枠の両端螺子部に受金具をわたすようにして組付け、そして螺子部にナットを螺合させて互いに交差方向に配した第一、第二の支持線を組付ける構成を採るので、第一、第二支持線の交差部位置近傍においてその作業をする必要があり、従って、宙吊り作業車や重機を必要とすることになり、長時間の通行止めをする等のさまざまな弊害が生じる。
【０００５】
本発明は、斯様な従来例の欠点に着目し、使用勝手の良好な組付け具を提供するために創案したものである。
【課題を解決するための手段】
【０００６】
互いに交差させて配したケーブル用等の上下の支持線を交差部において組付けるものであって、一対の長孔を前後に並設した上板の両側に、前端縁下部に前記下側支持線の受支部片を突設した側板を相対設して成る、断面冂形の金物主体に、基板に前後一対の掛止杆を立設して成る挟持材を、前記基板を前記側板間に介在させる一方、前記上側支持線を挿通するＵ字形の、前記掛止杆の上端部を前記長孔を通じて前記上板に、突出させるようにして組付けると共に、コイルばねの付勢に抗して前記基板を前記上板方向に押圧して前記基板と前記受支部片との間に前記下側支持線の通過間隙を形成する突っ張り片を、前記側板の前記受支部片に起伏自在に枢着し、該受支部片の上縁には前記下側支持線が係合する凹入縁を設けた、構成とするのである。
【発明の効果】
【０００７】
本発明によれば、上側支持線に掛止杆において吊り下げた状態で該上側支持線に沿って移動させることができるから、前記上側支持線と交差する下側支持線位置まで地上からの操作によって（竿や紐体を用いる等して）自在に移動させ、突っ張り片を下側支持線に衝設させて当該突っ張り片が倒伏させて上下の支持線の組付け操作を行うことができる。従って、上下の支持線の交差部近傍より離れた位置から組付け操作を行え、かつ、組付け状態を確実に維持できる製品を提供できる。
【実施例】
【０００８】
図面は、本発明に係る交差する支持線の組付け金物の一実施例を示し、図１は正面図、図２は平面図、図３は図１の側面図、図４は支持線同士を組付けた状態の正面図である。
【０００９】
本発明に係る組付け金物Ａは、金物主体１に挟持材２を組付けて構成したもので、金物主体１は、上板３の後部側両側に側板４，４を相対設した断面コ形体で成り、前記上板３は、その４隅に設けた透孔５，５，５，５と、該透孔５より前後方向内側にして設けた一対の長孔６，６を備え、また、この上板３の後部側両側を折曲して相対設した前記側板４，４の前端縁４´の下部に受支部片４ａを突設し、受支部片４ａの上縁を、互いに交差する、既設の上下の支持線（メッセンジャーワイヤー）ｍ，ｍ´中の一方である下側支持線ｍ´の凹入縁７と成し、前記前端縁４´に連続させてある。
【００１０】
前記挟持材２は、金物主体１の前記側板４，４の離開幅よりやや狭い横幅を備えた、平板状の基板９に、金物主体１の上板３に設けた前記透孔５，５，５，５と当位する位置にして案内杆１０，１０，１０，１０を、また、同じく前後の長孔６，６と当位する位置にして逆U字形の掛止杆１２，１２をそれぞれ立設して構成したものである。
【００１１】
実施例の組付け金物Ａは、この挟持材２と前記金物主体１を、コイルばね１３を巻き付けるようにして組み付けた前記各案内杆１０を対応する透孔５に、また、各掛止杆１２を対応する前記長孔６にそれぞれ貫通させるようにして、上板３と基板９との間にコイルばね１３が介在するようにして組合わせ、挟持材２の基板９の下側に存するようにして突っ張り片８を金物主体１の側板４に突設した受支部片４ａの内側に重ね合わせ、該突っ張り片８を基部において支軸１１で前記受支部片４ａに起伏（回動）自在に枢着して構成したものである。
【００１２】
突っ張り片８は、先端側一隅部を円弧状の先端縁８´とした長形板で成り、前記支軸１１部を支点に回動させて起立させたとき、先端縁８´が組付け金物Ａの前方に向けて配せられ、かつ、該先端縁８´で支持される前記挟持材２の基板９と前記受支部片４ａとの間に前記下側支持縁ｍ´の径より広い通過間隙ａを形成するように、受支部片４ａに前記の通り起伏自在に組付けたものである。
【００１３】
そして、支軸１１を中心に突っ張り片８を回動させると、突っ張り片８はコイルばね１３の付勢に抗して挟持材２側の基板９を押圧し、この結果、基板９に立設した掛止杆１２のＵ字形の先端部１２ａは長孔６を通じて金物主体１の上板３より突出した状態となり、この突出状態は、前記コイルばね１３の付勢による基板９の突っ張り片の先端縁８´に対する圧接によって維持され（コイルばね１３の付勢方向に平行して先端縁８´の基板９の接触点と支軸１１を結ぶ仮想線が配されたとき）、この状態で基板９と受支部片４ａとの間に前記の通過間隙ａが形成される。
【００１４】
組付け金物Ａを、このようにした状態で上板３より突出する掛止杆先端部１２ａに前記上側支持線ｍを貫通させるように該上側支持線ｍに組合わせ、適宜の手段で上側支持線ｍに沿わせて該上側支持線ｍに交差する下側支持線ｍ´位置まで移動させると、下側支持線ｍ´に起立状態にある突っ張り片８が前記間隙ａを通じて衝接し、その結果、突っ張り片８は支軸１１を中心に回動して倒伏する一方、金物Ａは上側支持線ｍに沿って移動中であるため、下側支持線ｍ´は挟持材２側の基板９と受支部片４ａとの間に相対的に係合し、係合と同時に（突っ張り片８の倒伏と同時に）、コイルばね１３の付勢によって基板９と上板３は互いに離開方向に移動し、上側支持線ｍは金物主体１の上板３と挟持杆上端部１２ａとで下側支持線ｍ´は挟持材２の基板９と受支部片４ａとでそれぞれ挟持され、互いに組付け、固定されるのである。
【００１５】
なお、挟持材２の基板９の先端側中央に接続孔１４を形成しておき、該接続孔１４を利用して紐やロープなどの牽引紐を接続し、該牽引紐を地上において牽引することによって上側支持線ｍに沿う組付け金物Ａの移動操作を行うことができる。この際、下側支持線ｍ´位置に至ったときは、牽引紐が該下側支持線ｍ´に引っ掛かってその前進の障害になるので、下側支持線ｍ´に接触する前に何等かの手段（放り投げるなど）で牽引紐の先端（手元側の）を下側支持線ｍ´を超えさせて配することが必要である。
【図面の簡単な説明】
【００１６】
【図１】正面図。
【図２】平面図。
【図３】図１の側面図。
【図４】支持線同士を組付けた状態の正面図。
【符号の説明】
【００１７】
１      金物主体
２      挟持材
３      上板
４      側板
４ａ    受支部片
６      長孔
７      凹入縁
８      突っ張り片
９      基板
１２    掛止杆
１２ａ  上端部
１３    コイルばね
ａ      通過間隙
ｍ      上側支持線
ｍ´    下側支持線
【図１】
2008043033.tif 000003
【図２】
2008043033.tif 000004
【図３】
2008043033.tif 000005
【図４】
2008043033.tif 000006